(57)【特許請求の範囲】
【請求項１】
被取付部に取着される長尺状の器具本体と、当該器具本体に取着される給電ユニットとを備え、前記給電ユニットにはランプの灯数に応じて種類の異なるソケット台の何れかが取着され、各ソケット台は、ランプの灯数に応じた個数のランプソケットが取着されるとともに、複数灯の場合は複数個のランプソケットが幅方向に並べて取着され、前記器具本体は、幅方向両側部において複数灯用のソケット台が位置する部位に切欠部が設けられたことを特徴とする照明器具。
【請求項２】
前記器具本体よりも幅寸法の小さいソケット台を備えた前記給電ユニットに、取付状態で前記切欠部の切欠部分と幅方向において重なる側壁を設けたことを特徴とする請求項１記載の照明器具。
【請求項３】
前記器具本体よりも幅寸法の大きいソケット台を備えた前記給電ユニットに、取付状態で前記切欠部の外側端縁に当接することによって位置決めする位置決め部を設けたことを特徴とする請求項１記載の照明器具。
【発明の詳細な説明】
【技術分野】
【０００１】
本発明は、照明器具に関するものである。
【背景技術】
【０００２】
従来より、天井面に取り付けられて室内などを照明する照明器具が種々提供されている（例えば特許文献１参照）。
【０００３】
ここで、図９は１灯式の照明器具を示しており、器具本体１０１の長手方向両側には直管型のランプ１０４の両端部がそれぞれ接続されるランプソケット１０２が各１個ずつ取着されており、器具本体１０１とランプ１０４の間にはランプ１０４からの照射光を下方に反射させる反射板１０３が配設されている。
【０００４】
一方、図１０は２灯式の照明器具を示しており、２灯用の器具本体２０１の長手方向両側には２灯用のランプソケット２０２がそれぞれ取着されており、器具本体２０１とランプ１０４の間にはランプ１０４からの照射光を下方に反射させる反射板２０３が配設されている。
【０００５】
また、図１１も２灯式の照明器具を示しており、図６に示す１灯用の器具本体１０１’に対して１灯用のランプソケット１０２の代わりに、２個のランプソケット１０２が器具本体１０１’の幅方向に並べて取着されたソケット台３０１が取着されており、器具本体１０１’とランプ１０４の間にはランプ１０４からの照射光を下方に反射させる反射板３０２が配設されている。
【特許文献１】特開２００３−１９７０２３号公報（段落［０００２］−段落［０００５］、及び、第１、２図）
【発明の開示】
【発明が解決しようとする課題】
【０００６】
上述の図９〜図１１に示した照明器具では、それぞれ専用の器具本体や反射板を用いているため、ランプの灯数を変更する場合には必要灯数のランプソケットを備えた器具一式を交換することになり、大幅な交換費用がかかるとともに交換にも時間を要していた。また、図９および図１１に示した照明器具は、ともに１灯用の器具本体に対して１灯用のランプソケットを用いたものではあるが、両者では器具本体からランプソケットまでの距離が異なるため、最適の配光を得るための反射板の形状が異なり、照明器具全体として意匠を統一できなかった。
【０００７】
本発明は上記問題点に鑑みて為されたものであり、その目的とするところは、交換費用を低減するとともに施工時間を短縮でき、且つ、意匠を統一した照明器具を提供することにある。
【課題を解決するための手段】
【０００８】
請求項１の発明は、被取付部に取着される長尺状の器具本体と、当該器具本体に取着される給電ユニットとを備え、給電ユニットにはランプの灯数に応じて種類の異なるソケット台の何れかが取着され、各ソケット台は、ランプの灯数に応じた個数のランプソケットが取着されるとともに、複数灯の場合は複数個のランプソケットが幅方向に並べて取着され、器具本体は、幅方向両側部において複数灯用のソケット台が位置する部位に切欠部が設けられたことを特徴とする。
【０００９】
請求項２の発明は、器具本体よりも幅寸法の小さいソケット台を備えた給電ユニットに、取付状態で切欠部の切欠部分と幅方向において重なる側壁を設けたことを特徴とする。
【００１０】
請求項３の発明は、器具本体よりも幅寸法の大きいソケット台を備えた給電ユニットに、取付状態で切欠部の外側端縁に当接することによって位置決めする位置決め部を設けたことを特徴とする。
【発明の効果】
【００１１】
請求項１の発明によれば、器具本体の幅方向両側部において複数灯用のソケット台が位置する部位に切欠部を設けることによって、複数種類のソケット台の何れが取着された給電ユニットであっても器具本体に取り付けることができるので、灯数の異なる複数種類の給電ユニットに対して器具本体を共用することができ、その結果、従来例と比べて給電ユニットのみを交換すればいいから、交換費用の低減や施工時間の短縮を図ることができるという効果がある。また、同じ形状のランプソケットをランプの灯数に応じて器具本体の幅方向に並べて配置することによって、器具本体から各ランプソケットまでの距離を同寸法に設定することができるので、上下方向における反射板の形状および寸法をランプの灯数に関わらず統一することができ、その結果、照明器具の意匠を統一することができるという効果がある。
【００１２】
請求項２の発明によれば、取付状態において、器具本体に設けた切欠部の切欠部分と幅方向において重なる側壁を給電ユニットに設けることによって、切欠部分が目立たなくなるから意匠性が向上し、また側壁を設けることで隙間が小さくなるから隙間から器具内部が見えにくくなるとともに隙間を介して塵埃が入りにくくなるという効果がある。
【００１３】
請求項３の発明によれば、給電ユニットに設けた位置決め部を、取付状態で切欠部の外側端縁に当接させることによって、器具本体に対して給電ユニットを幅方向に位置決めすることができるとともに、幅方向へのがたつきを抑えることができるという効果がある。
【発明を実施するための最良の形態】
【００１４】
本発明の実施形態を図１〜図８に基づいて説明する。本実施形態の照明器具は、図１に示すように、ランプ４の灯数に応じた個数のランプソケット８を備えた複数種類（本実施形態では３種類）の給電ユニット２の何れかが用いられる照明器具であって、ボルト１３により建物に固定されたレースウェイ１２に取り付けられて室内（例えば、工場など）を照明するために用いられるものである。なお、以下の説明では特に断りがない限り、図１中の矢印ａ−ｂの方向を上下方向、矢印ｃ−ｄの方向を左右方向として説明を行う。
【００１５】
照明器具は、レースウェイ１２に取り付けるための取付片５を左右方向両端部に具備した器具本体１と、器具本体１に取着される給電ユニット２と、直管型のランプ４と、ランプ４からの照射光を反射させるための反射板３とを備えている。
【００１６】
レースウェイ１２は、図１に示すように左右方向に延出する長尺状であって下側が開口する断面視略コ字状に形成されており、幅方向両側の先端部分を内側に折り曲げることにより全長に渡って溝部１２ａが形成されている。なお、このレースウェイ１２は、ボルト１３を用いて天井面（図示せず）に取り付けられるようになっている。ここに、レースウェイ１２により被取付部が構成されている。
【００１７】
器具本体１は、図１に示すように左右方向に延出するとともに下面が開口する細長い略矩形箱状に形成されたケース本体１ａを有し、ケース本体１ａの上面中央（レースウェイ１２との対向部位）には天井面から配線されたケーブル１４を挿通させるための略矩形状の電線挿通孔１ｂが貫設されている。また、ケース本体１ａの左右方向両端寄りには下方に突出する突台部６がそれぞれ突設されており、各突台部６の底面には固定ねじ１８が螺合するねじ孔６ａが設けられている。さらに、ケース本体１ａの左右方向両端部にはコ字状に折曲形成された取付片５がそれぞれ左右方向に延設されており、各取付片５にはレースウェイ１２に取り付けるための固定ねじ１５を挿通させるねじ挿通孔５ａが貫設されている。また、ケース本体１ａの左右方向両端部において幅方向両側の側壁には、後述する給電ユニット２に取着された複数灯用のソケット台７を配置するための切欠部１ｃがそれぞれ設けられている。
【００１８】
給電ユニット２は、図１に示すように左右方向に延出する細長い略矩形板状の主片の４辺を下方に折り曲げることで形成されたケース本体２ａを有し、ケース本体２ａにおいて上記ねじ孔６ａに対応する部位にはねじ挿通孔２ｂが貫設されている。各ねじ挿通孔２ｂの内側には下方に突出する突台部９がそれぞれ突設されており、各突台部９の底面には固定ねじ１９が螺合するねじ孔９ａが設けられている。また、ケース本体２ａにおいて上記電線挿通孔１ｂに対応する部位にはケーブル１４が接続される端子台１０が収納されており、さらに端子台１０の右側にはランプ４に点灯電力を供給するための安定器１１が収納されている。なお、端子台１０は、電線接続面が上記電線挿通孔１ｂを臨むように配置されており、電線挿通孔１ｂを通してケーブル１４が接続できるようになっている。また、図１中の３灯用の給電ユニット２では、３灯のランプ４に点灯電力が供給できるように安定器１１が２個収納されている。さらに、端子台１０の出力端と安定器１１の入力端の間は、図示しない電線を介して電気的に接続されており、端子台１０から安定器１１に商用電源が供給されるようになっている。
【００１９】
ここにおいて、本実施形態の照明器具は、図１に示すように１灯から３灯までのランプ４に対応できるように構成されており、給電ユニット２のケース本体２ａの左右方向両端部にはランプ４の灯数に応じた個数のランプソケット８が取着された複数種類（本実施形態では３種類）のソケット台７の何れかが取着されている。すなわち、給電ユニット２は、灯数に応じて異なるソケット台７を備えたものが複数種類（本実施形態では３種類）用意されている。ここで、ソケット台７は、図１に示すように略矩形箱状に形成され、取着されるランプソケット８の個数に応じてケース本体２ａの幅方向（器具本体１の幅方向）に延設される。すなわち、ランプ４が複数灯の場合には、ランプソケット８がケース本体２ａの幅方向に並べて配置されることになる。なお、対応するランプソケット８（同じランプ４が装着されるランプソケット）は、ランプ４の接続面８ａを互いに対向させた状態でソケット台７に取着されている。
【００２０】
反射板３は、図１に示すように左右方向に延出する略矩形板状の主片３ｃを有し、主片３ｃの幅方向両端部には斜め下方に傾斜する傾斜面３ｄがそれぞれ折曲形成されている。また、主片３ｃの左右方向両端部にはランプソケット８を配置するための切欠部３ａがそれぞれ設けられ、さらに主片３ｃにおいて上記ねじ孔９ａに対応する部位にはねじ挿通孔３ｂが貫設されている。なお、本実施形態の反射板３は、図１に示すように１灯用および２灯用の給電ユニット２に対して共用できるようになっており、また３灯用の給電ユニット２に対しては別の反射板３が用意されている。
【００２１】
ランプ４は、図１に示すように左右方向に延出する直管状の発光管４ａを有し、発光管４ａの左右方向両端部には一対のランプピン４ｃが突設された口金部４ｂがそれぞれ設けられている。
【００２２】
図２は本実施形態における１灯式の照明器具を示しており、器具本体１のケース本体１ａと給電ユニット２のケース本体２ａの位置を合わせ、各固定ねじ１８を対応するねじ挿通孔２ｂに挿通させるとともにねじ孔６ａに螺合させると、給電ユニット２が器具本体１に取り付けられ、図２（ｂ）に示す状態になる。なお、図２では反射板３およびランプ４は省略してある。ここで、ソケット台７は、器具本体１のケース本体１ａよりも幅寸法がわずかに小さく、且つ、幅方向両側の側壁７ａ、７ａがケース本体１ａの側壁に形成された切欠部１ｃと略同寸法に形成されており、器具本体１に給電ユニット２を取り付けた状態では、図３（ａ）に示すように幅方向において側壁７ａが切欠部１ｃに重なるように配置されている。而して、側壁７ａによりケース本体１ａの切欠部１ｃが目立たなくなるから照明器具の意匠性が向上し、さらに側壁７ａにより切欠部分の隙間が小さくなるから隙間から器具内部が見えにくくなるとともに、隙間を介して塵埃が入りにくくなる。
【００２３】
さらに、１灯用のソケット台７は、図３（ｂ）に示す取付状態において、各部品の寸法のばらつきを考慮した上でケース本体１ａとの幅方向の隙間ｄ１が最小寸法となるように幅寸法が設定されており、このようにソケット台７の幅寸法を設定することにより切欠部１ｃからの塵埃の侵入をさらに低減することができる。
【００２４】
次に、図４は本実施形態における２灯式の照明器具を示しており、図２に示した１灯式の照明器具と同様に、器具本体１のケース本体１ａと給電ユニット２のケース本体２ａの位置を合わせ、各固定ねじ１８を対応するねじ挿通孔２ｂに挿通させるとともにねじ孔６ａに螺合させると、給電ユニット２が器具本体１に取り付けられ、図４（ｂ）に示す状態になる。なおこのとき、ソケット台７はケース本体１ａに形成された切欠部１ｃに沿って配置され、各ランプソケット８は器具本体１の幅方向に沿って横並びに配置されている。ここで、ソケット台７の上面７ｂにおいてケース本体１ａの幅方向両側の側壁に対応する部位には、上面７ｂの一部を切り起こすことによって突台状に形成された位置決め部７ｃがそれぞれ設けられ、器具本体１に給電ユニット２を取り付けた状態ではケース本体１ａの側壁に外側から当接するようになっている。而して、図５および図６に示すように、各位置決め部７ｃにより幅方向両側からソケット台７が位置決めされ、幅方向（図６（ｂ）中の矢印Ｃ−Ｄ方向）への移動が規制されるとともに、幅方向へのがたつきを抑えることができる。なお、上記説明では２灯式の照明器具を例に説明したが、３灯式の場合であっても同様である。
【００２５】
ここで、本実施形態の照明器具の組立手順について図１に基づいて説明する。なお、端子台１０および安定器１１はケース本体２ａに予め取り付けられているものとして説明する。まず、器具本体１のケース本体１ａと給電ユニット２のケース本体２ａの位置を合わせ、各固定ねじ１８を対応するねじ挿通孔２ｂに挿通させるとともにねじ孔６ａに螺合させて、ケース本体１ａにケース本体２ａを組み付ける。その後、反射板３を所定位置に配置した後、各固定ねじ１９を対応するねじ挿通孔３ｂに挿通させるとともにねじ孔９ａに螺合させて、反射板３をケース本体２ａに組み付ける。そして最後に、各口金部４ｂを対応するランプソケット８に装着してランプ４をケース本体２ａに取り付けると、照明器具の組立てが完了する。
【００２６】
ここにおいて、ケース本体１ａ、ケース本体２ａおよび反射板３は略同じ長さ寸法に形成され、照明器具を組み立てた状態では各取付片５が最も外側に位置しており、照明器具を組み立てた後にレースウェイ１２に取り付けられるようになっている。
【００２７】
続けて、照明器具のレースウェイ１２への取付手順について図１に基づいて説明する。まず、ケーブル１４の各電線を電線挿通孔１ｂを通して端子台１０に接続した後、レースウェイ１２に保持された各固定ねじ１５のねじ部１５ａを対応する取付片５のねじ挿通孔５ａに挿通し、下側からねじ部１５ａに座金（図示せず）を入れるとともに蝶ナット（図示せず）を螺合させると、照明器具がレースウェイ１２に固定される。
【００２８】
本実施形態の照明器具では、器具本体１のケース本体１ａの幅方向両側の側壁において複数灯用（本実施形態では２灯用又は３灯用）のソケット台７が位置する部位に切欠部１ｃを設けることによって、複数種類（本実施形態では３種類）のソケット台７の何れが取着された給電ユニット２であっても器具本体１に取り付けることができるので、灯数の異なる複数種類の給電ユニット２に対して器具本体１を共用することができ、その結果、従来例と比べて給電ユニット２のみを交換すればいいから、交換費用の低減や施工時間の短縮を図ることができる。また、同じ形状のランプソケット８をランプ４の灯数に応じて器具本体１の幅方向に並べて配置することによって、器具本体１から各ランプソケット８までの距離ｄ２（図６（ｂ）参照）を同寸法に設定することができるので、上下方向における反射板３の形状および寸法をランプ４の灯数に関わらず統一することができ、その結果、照明器具の意匠を統一することができる。
【００２９】
なお、本実施形態では、ソケット台７の上面７ｂの一部を切り起こすことによって突台状に形成した位置決め部７ｃにより位置決め部を構成した場合を例に説明したが、位置決め部は本実施形態に限定されるものではなく、例えば図７および図８に示すようにケース本体１ａの左右方向両端側に位置する側壁７ｄを上方に延長して位置決め部を形成したり、ソケット台７の上面７ｂの一部を切り起こすことによって形成した板状の位置決め片７ｅにより位置決め部を構成してもよい。また、本実施形態では、ケース本体１ａに対して幅方向両側に位置決め部を設けた場合を例に説明したが、位置決め部は片側のみであってもよい。
【００３０】
さらに、本実施形態では、電線挿通孔１ｂを略矩形状に形成しているが、電線挿通孔の形状は本実施形態に限定されるものではなく、矩形状以外の形状であってもよい。
【図面の簡単な説明】
【００３１】
【図１】本実施形態の照明器具の全体構成を示す概略図である。
【図２】ランプが１灯の場合の一部省略せる同上を示し、（ａ）は分解斜視図、（ｂ）は斜視図である。
【図３】ランプが１灯の場合の同上を示し、（ａ）、（ｂ）は一部破断せる要部詳細図である。
【図４】ランプが２灯の場合の一部省略せる同上を示し、（ａ）は分解斜視図、（ｂ）は斜視図である。
【図５】ランプが２灯の場合の同上を示し、（ａ）は上から見た斜視図、（ｂ）はＡ部詳細図である。
【図６】ランプが２灯の場合の同上を示し、（ａ）、（ｂ）は一部破断せる要部詳細図である。
【図７】ランプが２灯の場合における同上の別の例を示し、（ａ）は上から見た斜視図、（ｂ）はＢ部詳細図、（ｃ）はさらに別の場合のＢ部詳細図である。
【図８】ランプが２灯の場合における同上の別の例を示し、（ａ）、（ｂ）は一部破断せる要部詳細図である。
【図９】従来例の照明器具を示す分解斜視図である。
【図１０】同上の別の例を示す分解斜視図である。
【図１１】同上のさらに別の例を示す分解斜視図である。
【符号の説明】
【００３２】
１  器具本体
１ｃ  切欠部
２  給電ユニット
４  ランプ
７  ソケット台
８  ランプソケット
１２  レースウェイ（被取付部）
【図１】
0005027700.tif 000002
【図２】
0005027700.tif 000003
【図３】
0005027700.tif 000004
【図４】
0005027700.tif 000005
【図５】
0005027700.tif 000006
【図６】
0005027700.tif 000007
【図７】
0005027700.tif 000008
【図８】
0005027700.tif 000009
【図９】
0005027700.tif 000010
【図１０】
0005027700.tif 000011
【図１１】
0005027700.tif 000012